(57)【要約】実施例は第１のネットワークから第２のネットワークへの移動体デバイスの移行を扱うための方法を提供し、第２のネットワークは第１のネットワークとは異なる通信プロトコルに準拠する。一実施例は、第１のネットワークから移動体デバイスへのデータパケットの転送を終了するステップ、第１のネットワークにおいて未転送データパケットのヘッダを再構築するステップ、及び第１のネットワークから第２のネットワークに再構築されたデータパケットを送信するステップを含む。他の実施例は、第２のネットワークにおいてヘッダ圧縮状態をリセットするステップ、第２のネットワークにおいて第１のネットワークから未転送データパケットを受信するステップであって、未転送データパケットは第１のネットワークが移動体デバイスに未だ転送していないデータパケットである、ステップ、及び第２のネットワークから移動体デバイスに未転送データパケットを送信するステップを含む。
2011523295.tif 000002
【特許請求の範囲】
【請求項１】
第１のネットワーク（１１０）から第２のネットワーク（１２０）への移動体デバイス（１０２）の移行を扱う方法であって、
前記第１のネットワーク（１１０）から前記移動体デバイス（１０２）へのデータパケットの転送を終了するステップ、
前記第１のネットワーク（１１０）において、未転送データパケットのヘッダを再構築するステップ、及び
前記第１のネットワーク（１１０）から前記第２のネットワーク（１２０）に前記再構築されたデータパケットを送信するステップであって、前記第２のネットワーク（１２０）は前記第１のネットワーク（１１０）とは異なる通信プロトコルに従って動作するものである、ステップ
を備える方法。
【請求項２】
請求項１の方法において、前記第１のネットワーク（１１０）がＣＤＭＡ２０００プロトコルに準拠するネットワークであり、前記第２のネットワーク（１２０）がＬＴＥプロトコルに準拠するネットワークである、方法。
【請求項３】
請求項１の方法であって、さらに、
前記第１のネットワーク（１１０）のコントローラ（１１２）において、バッファ（１１３）に前記未転送データパケットを格納するステップ
を備え、
前記ヘッダを再構築するステップが、前記コントローラ（１１２）で格納された情報を用いて、前記未転送データパケットの圧縮されたヘッダを脱圧縮することを含む、方法。
【請求項４】
請求項２の方法であって、さらに、
前記第１のネットワーク（１１０）の無線ネットワークコントローラ（ＲＮＣ）（１１２）において、脱圧縮ディクショナリ（３１２）を構築するステップ
を備え、
前記第２のネットワーク（１２０）に前記再構築されたデータパケットを送信するステップが、前記ＲＮＣ（１１０）から前記再構築されたデータパケットを送信することを含む、方法。
【請求項５】
請求項４の方法において、前記再構築されたデータパケットを送信することが、前記ＲＮＣ（１１２）と前記第２のネットワークのアクセスゲートウェイ（１２１）の間のチャネル（１６０）を介したものである、方法。
【請求項６】
第１のネットワーク（１２０）から第２のネットワーク（１１０）への移動体デバイス（１０３）の移行を扱う方法であって、
前記第２のネットワーク（１１０）において、ヘッダ圧縮状態をリセットするステップ、
前記第２のネットワーク（１１０）において、前記第１のネットワーク（１２０）から未転送データパケットを受信するステップであって、前記第２のネットワーク（１１０）は前記第１のネットワーク（１２０）とは異なる通信プロトコルに従って動作するものであり、前記未転送データパケットは前記第１のネットワーク（１２０）が前記移動体デバイス（１０３）に未だ転送していないデータパケットである、ステップ、及び
前記第２のネットワーク（１１０）から前記移動体デバイス（１０３）に前記未転送データパケットを送信するステップ
を備える方法。
【請求項７】
請求項６の方法において、前記第１のネットワーク（１２０）がＬＴＥプロトコルに準拠するネットワークであり、前記第２のネットワーク（１１０）がＣＤＭＡ２０００プロトコルに準拠するネットワークである、方法。
【請求項８】
請求項６の方法において、前記第２のネットワーク（１１０）において前記ヘッダ圧縮状態をリセットするステップが、ＰＰＰ（ポイント−トゥ−ポイントプロトコル）メッセージを送信することによって実行される、方法。
【請求項９】
請求項６の方法において、前記第２のネットワーク（１１０）において未転送データパケットを受信するステップが、前記第２のネットワーク（１１０）の無線ネットワークコントローラ（ＲＮＣ）（１１２）において未転送データパケットを受信することを含む、方法。
【請求項１０】
請求項９の方法において、前記ＲＮＣ（１１２）において未転送データパケットを受信することが、前記ＲＮＣ（１１２）と前記第１のネットワークのアクセスゲートウェイ（１２１）の間のチャネル（１６０）を介したものである、方法。
【発明の詳細な説明】
【技術分野】
【０００１】
本発明の実施例は概略として、無線ネットワーク及び異なるプロトコルの無線ネットワーク間での移行に関する。
【背景技術】
【０００２】
ＣＤＭＡ２０００  ＥＶＤＯ及び３ＧＰＰ  ＬＴＥは、無線ネットワークに接続された移動体デバイスとのＩＰデータパケットの伝送をサポートするために無線ネットワークで使用され得る２つの異なるプロトコルである。ＣＤＭＡ２０００ネットワークを配備し、ＣＤＭＡ２０００ネットワークと通信する移動体デバイスのＬＴＥネットワークへの移行及びその逆を容易にするようにＣＤＭＡ２０００ネットワークを構成しようとするオペレータは多数の相互運用性の問題に直面する。
【０００３】
有線インターネットと無線ネットワークの間のデータ伝送速度の差のために、ターゲット（送信先）移動体デバイスがＣＤＭＡ２０００ネットワークでアクティブなとき、ターゲット移動体デバイスのＣＤＭＡ２０００ネットワークで受信されたＩＰパケットは、ターゲット移動体デバイスがそれらを受信する準備ができるまでバッファリングされる。バッファリングされたデータパケットがターゲット移動体デバイスに転送される前にターゲット移動体デバイスがＣＤＭＡ２０００ネットワークからＬＴＥネットワークに移行した場合、バッファリングされた未転送のデータパケットは失われる。
【０００４】
同様に、ターゲット移動体デバイスがＬＴＥでアクティブなときに、ターゲット移動体デバイスのＬＴＥネットワークで受信されたＩＰパケットは、ターゲット移動体デバイスがそれらを受信する準備ができるまでバッファリングされる。バッファリングされたデータパケットがターゲット移動体デバイスに転送される前にターゲット移動体デバイスがＬＴＥネットワークからＣＤＭＡ２０００ネットワークに移行した場合、バッファリングされた未転送のデータパケットは失われる。
【０００５】
ＣＤＭＡ２０００又はＬＴＥネットワーク上でデータパケットを受信するターゲット移動体デバイスは１つ以上の他のデバイスとのＴＣＰセッションにかかわっていることがある。ＴＣＰプロトコルは、輻輳が検出されるとデータが送信されるレートを制限することによってネットワーク上の輻輳を抑制する輻輳制御アルゴリズムを用いる。ターゲット移動体デバイスがＣＤＭＡ２０００ネットワークからＬＴＥネットワークに、又はＬＴＥネットワークからＣＤＭＡ２０００ネットワークに移行するときにターゲット移動体デバイスが他のデバイスとのＴＣＰセッションにかかわっている場合、ＴＣＰアルゴリズムによって１つ以上のパケットの喪失がネットワーク輻輳を示すものとして解釈されることになる。従って、バッファリングされた未転送のデータパケットの喪失は、データパケットがターゲット移動体デバイスに送信される速度の大幅な低下をトリガしてしまい、相当な遅延をもたらすことになる。
【発明の概要】
【課題を解決するための手段】
【０００６】
本発明は、第１のネットワークから第２のネットワークへの移動体デバイスの移行を扱う方法であって、第１及び第２のネットワークは異なる通信プロトコルに準拠するものであるような方法に関する。
【０００７】
一実施例では、第１のネットワークから移動体デバイスへのデータパケットの転送が終了される。第１のネットワークにおいて未転送データパケットのヘッダが再構築され、再構築されたデータパケットが第１のネットワークから第２のネットワークに送信される。他の実施例では、第２のネットワークにおいてヘッダ圧縮状態がリセットされる。第２のネットワークは第１のネットワークから未転送データパケットを受信し、ここで未転送データパケットとは、第１のネットワークが移動体デバイスに未だ転送していないデータパケットである。未転送データパケットが第２のネットワークから移動体デバイスに送信される。
【０００８】
実施例は移行中の移動体デバイスに対するデータパケット喪失を最小限にすることができ、及び／又は複製データパケットの送信を減らすことができる。
【０００９】
本発明の実施例は以下に提供される詳細な説明及び添付図面からより完全に理解されることになる。ここで、同様の要素は同様の参照符号で示され、それらは例示目的のみで与えられるものであり、本発明を限定するものではない。
【図面の簡単な説明】
【００１０】
【図１】図１はＣＤＭＡ２０００ネットワーク及びＬＴＥネットワークを示す図である。
【図２】図２はＣＤＭＡ２０００ネットワークからＬＴＥネットワークへの移動体デバイスの移行を扱うための方法を示すフローチャートである。
【図３】図３はＲＮＣでデータパケットヘッダを再構築する例を示す図である。
【図４】図４はＬＴＥネットワークからＣＤＭＡ２０００ネットワークへの移動体デバイスの移行を扱うための方法を示すフローチャートである。
【発明を実施するための形態】
【００１１】
発明の幾つかの実施例を示す添付図面を参照して、本発明の種々の実施例がより完全に記載される。図面では、層及び領域の厚さは明瞭化のために誇張されている。
【００１２】
本発明の詳細な実施例がここに開示される。しかし、ここに開示される特定の構造的及び機能的詳細は本発明の実施例を記載するための単なる代表例に過ぎない。一方、本発明は多数の代替形態で具現化することができ、ここに説明する実施例のみに限定されるものとして解釈されるべきではない。
【００１３】
従って、発明の実施例は種々の変形例及び代替形態とすることができるが、その実施例は図面において例示目的で示され、ここに詳細に記載される。また、発明の実施例を開示される特定の形態に限定する意図はなく、逆に、発明の実施例は、本発明の範囲内に入る全ての変形例、均等物及び代替例を包含するものであることが理解されるべきである。明細書及び図面を通じて、同様の符号は同様の要素を意味する。
【００１４】
ここでは、第１、第２などの文言は種々の要素を説明するために使用されるが、これらの要素はこれらの文言によって限定されるものではないことが理解されるべきである。これらの文言は１つの要素を他の要素から区別するために使用されるに過ぎない。例えば、本発明の実施例の範囲から離れなることなく、第１の要素は第２の要素と用語付けされてもよいし、同様に、第２の要素は第１の要素と用語付けされてもよい。ここに使用される文言「及び／又は」は関連の列挙された項目の１つ以上のいずれか及び全ての組合せを含む。
【００１５】
ある要素が他の要素に「接続される」又は「結合される」というときは、それが他の要素に直接に接続又は結合されてもよいし、介在要素が存在していてもよいことが理解される。逆に、ある要素が他の要素に「直接接続される」又は「直接結合される」というときは、介在要素は存在しない。要素間の関係を説明するために使用される他の文言は同様の態様で解釈されるべきである（例えば、「・・・の間に」に対する「・・・の間に直接」、「・・・に隣接する」に対する「・・・に直接隣接する」等）。
【００１６】
ここに使用される専門用語は特定の実施例を説明する目的のみのために使用され、発明の実施例を限定することを意図するものではない。ここに使用される単数形「a」、「an」及び「the」は、文脈が明確に他を示さない限り、複数形を同様に含むことが意図されている。さらに、文言「備える（comprises）」、「備えている（comprising）」、「含む（includes）」及び／又は「含んでいる（including）」は、ここで使用される場合、記載される特徴、完全体、ステップ、動作、要素、及び／又は部材の存在を指定するが、１つ以上の他の特徴、完全体、ステップ、動作、要素、部材、及び／若しくはそれらのグループの存在又は付加を除外するものではないことが理解される。
【００１７】
なお、代替実施形態によっては、示される機能／挙動は図面に示す順序外で行われ得ることも理解されるべきである。例えば、連続して示す２つの図は、実際には、関与する機能／挙動によって実質的に同時に実行され、時には逆の順序で実行され得る。
【００１８】
ここで使用される用語「移動体（mobile）」は、移動体装置、移動局、移動ユーザ、ユーザ機器（ＵＥ）、加入者、ユーザ、リモート局、アクセス端末、受信機等と同義なものとみなされ、以降に時としてそのようなものとして使用され、無線通信ネットワークにおける無線リソースのリモートユーザを記述するものである。用語「基地局」は、基地送受信局（ＢＴＳ）、ノードＢ、拡張ノードＢ、フェムトセル、アクセスポイント等と同義なものとしてみなされ、及び／又はそのようなものとして言及され、ネットワークと１以上のユーザの間のデータ及び／又は音声接続のための無線ベースバンド機能を提供する機器を記述するものである。
【００１９】
アーキテクチャ
図１は実施例によるＣＤＭＡ２０００プロトコルに準拠するネットワーク１１０及びＬＴＥプロトコルに準拠するネットワーク１２０を示す。
【００２０】
図１を参照すると、ＣＤＭＡ２０００ネットワーク１１０はパケットデータサービングノード（ＰＤＳＮ）１１１、無線ネットワークコントローラ（ＲＮＣ）１１２、複数の基地局又は基地送受信局（ＢＴＳ）１１４〜１１６及び複数の移動体デバイス１１７〜１１９、１０２を含む。ＣＤＭＡ２０００ネットワーク１１０は複数のＲＮＣ及びＰＤＳＮを有し得るが、明瞭化のために各々の１つのみを示す。ＰＤＳＮ１１１はプロキシモバイルＩＰインターフェイスを介して公衆データネットワーク（ＰＤＮ）１０１と接続される。ＲＮＣ１１２はＰＤＳＮ１１１に接続され、ＢＴＳ１１４〜１１６はＲＮＣ１１２に接続され、移動体デバイス１１７〜１１９、１０２は各々ＢＴＳ１１４〜１１６との無線通信状態にある。ＲＮＣ１１２はバッファ１１３を含む。ＰＤＳＮ１１１は、ＨＲＰＤ  ＳＧＷ又はＨＳＧＷ（高速パケットデータサービスゲートウェイ）ともいわれる。ネットワーク１１０はＣＤＭＡ２０００ネットワークとして示しているが、ネットワーク１１０はＣＤＭＡ２０００プロトコルに限定されない。
【００２１】
図１を再度参照すると、ＬＴＥネットワーク１２０はアクセスゲートウェイ１２１、複数の基地局即ちエンハンスト−ノードＢ（ｅｎＢ）１２２〜１２３、及び複数の移動体デバイス１２６〜１２７、１０３を含む。アクセスゲートウェイ１２１はＧＴＰ及び／又はモバイルＩＰプロトコルを介してＰＤＮ１０１と接続される。ＬＴＥネットワーク１２０は複数のアクセスゲートウェイを含み得るが、明瞭化のために１つのみを示す。ｅＮＢ１２２〜１２３はアクセスゲートウェイ１２１に接続される。複数の移動体デバイス１２６〜１２７、１０３がｅＮＢ１２２〜１２３と無線通信状態にある。アクセスゲートウェイ１２１は、明瞭化のために図１から省かれている移動性管理エンドポイント（ＭＭＥ）及びサービングゲートウェイ（ＳＧＷ）を含み得る。ｅＮＢはバッファ１２４〜１２５を含む。
【００２２】
図１に示すように、ＲＮＣ１１２及びアクセスゲートウェイ１２１はインターフェイス１６０を介して互いに直接接続されている。
【００２３】
ＣＤＭＡ２０００ネットワーク動作
図１に示す構成を持つＣＤＭＡ２０００ネットワークの通常の動作において、ＰＤＮ１０１は、例えば、ターゲット（送信先）移動体デバイス１０２に宛てられたデータパケットを受信する。ターゲット移動体デバイス１０２は、ＣＤＭＡ２０００ネットワーク１１０と通信状態にある複数の移動体デバイス１１７〜１１９、１０２のうちの１つである。ＰＤＮ１０１はデータパケットをＰＤＳＮ１１１に送信する。ＰＤＳＮ１１１はデータパケットをＲＮＣ１１２に転送する。ＲＮＣ１１２は、ターゲット移動体デバイス１０２がデータパケットを受信する用意ができるまで、データパケットをバッファ１１３に格納することができる。ターゲット移動体デバイス１０２がデータパケットを受信する用意ができると、ＲＮＣ１１２はデータパケットを、ターゲット移動体デバイス１０２に対応付けられたＢＴＳであるＢＴＳ１１６に転送する。データパケットはインターネットプロトコル（ＩＰ）パケットであってもよいし、ヘッダを有していてもよい。
【００２４】
ＣＤＭＡ２０００ネットワーク１１０は、ロバストヘッダ圧縮（ＲｏＨＣ）又は他の任意の周知のヘッダ圧縮等のヘッダ圧縮を実施することができる。ＣＤＭＡ２０００ネットワーク１１０は、ヘッダ圧縮を用いて、パケットヘッダの一部だけを送信することによって、ＰＤＳＮ１１１から移動体デバイスに送信されているデータパケットのヘッダのサイズを小さくすることができる。ＣＤＭＡ２０００ネットワーク１１０においてＰＤＳＮ１１１からターゲット移動体デバイス１０２に送信されているパケットに対してヘッダ圧縮を使用するために、ＰＤＳＮ１１１は圧縮ディクショナリを確立するとともにターゲット移動体デバイス１０２は脱圧縮ディクショナリを確立する。圧縮及び脱圧縮ディクショナリは送信及び受信されているデータパケットのヘッダの静的部分を記憶する。ＰＤＳＮ１１１からターゲット移動体デバイス１０２に送信されている全パケットの１以上を費やして圧縮及び脱圧縮ディクショナリを確立することができる。
【００２５】
圧縮及び脱圧縮ディクショナリが確立されると、ＰＤＳＮ１１１は圧縮ディクショナリを用いてパケットヘッダを圧縮し（即ち、パケットヘッダの静的部分を取り除き）、圧縮されたヘッダを持つデータパケットをターゲット移動体デバイス１０２に送信する。ターゲット移動体デバイス１０２は、移動体デバイスでの処理のために、脱圧縮ディクショナリを用いてデータパケットの圧縮されたヘッダを脱圧縮する（即ち、パケットヘッダの静的部分を再挿入する）。
【００２６】
ＰＤＳＮ１１１はターゲット移動体デバイス１０２に脱圧縮ディクショナリをリセットするよう指示する。例えば、ターゲット移動体デバイス１０２及びＰＤＳＮ１１１がそれぞれ脱圧縮及び圧縮ディクショナリを確立したとき、ＰＤＳＮ１１１は圧縮されていないヘッダを持つデータパケットをターゲット移動体デバイス１０２に送信することができる。ターゲット移動体デバイス１０２は圧縮されていないデータパケットを、その脱圧縮ディクショナリをリセットするための表示として解釈することができる。
【００２７】
ＬＴＥネットワーク動作
図１に示す構成を持つＬＴＥネットワークの通常の動作において、ＰＤＮ１０１は、例えば、ターゲット（送信先）移動体デバイス１０３に宛てられたデータパケットを受信する。ターゲット移動体デバイス１０３は、ＬＴＥネットワーク１２０と通信状態にある複数の移動体デバイスのうちの１つである。ＰＤＮ１０１はデータパケットをアクセスゲートウェイ１２１に送信する。アクセスゲートウェイ１２１はデータパケットを、ターゲット移動体デバイス１０に対応付けられたｅＮＢであるｅＮＢ１２３に送信する。ＬＴＥ動作に対するヘッダ圧縮はｅＮＢにおいて実行される。
【００２８】
ＣＤＭＡ２０００からＬＴＥへの移行の取り扱い
第１のネットワークから第２のネットワークへの移動体の移行を扱うための方法を、図１においてターゲット移動体デバイス１０２がＣＤＭＡ２０００ネットワーク１１０からＬＴＥネットワーク１２０に移行するのを参照して説明する。しかし、本実施例は移動体１０２又は図１のアーキテクチャへの適用に限定されないことが理解されるはずである。
【００２９】
図１を参照すると、ＣＤＭＡ２０００ネットワーク１１０上でＢＴＳ１１６と通信してきたターゲット移動体デバイス１０２はＬＴＥネットワーク１２０に移行してｅＮＢ１２２と通信し始める。当業者であれば、ＣＤＭＡ２０００ネットワーク１１０からＬＴＥネットワーク１２０への移動体１０２の移行が、移動体とＣＤＭＡ２０００ネットワーク１１０及びＬＴＥネットワーク１２０の少なくとも１つのネットワーク要素との間のシグナリングを含む任意の周知技術に従って開始され得ることを理解するはずである。
【００３０】
図２は実施例による、ＣＤＭＡ２０００プロトコルに準拠するネットワークからＬＴＥプロトコルに準拠するネットワークへの移行を扱う方法を示すフローチャートである。ステップＳ２０５において、例えばＰＤＳＮ１１１及び移動体デバイス１０２で通常記憶されている圧縮及び脱圧縮ディクショナリに加えて、受信データパケットについての脱圧縮情報（例えば、脱圧縮ディクショナリ）もＣＤＭＡ２０００ネットワークにおけるＲＮＣ１１２で記憶される。即ち、ＲＮＣ１１２は、ＰＤＳＮ１１１から移動体デバイスに送信されたデータパケットに関係する脱圧縮情報を記憶するように構成される。
【００３１】
図１を参照すると、ＰＤＳＮ１１１からターゲット移動体デバイス１０２に送信された各データパケットはまずＲＮＣ１１２を通過した。ＲＮＣ１１２は、ＰＤＳＮ１１１からターゲット移動体デバイス１０２に送信されたデータパケットを用いて、例えば、脱圧縮ディクショナリをターゲット移動体デバイス１０２と同じ態様で編集するように構成される。
【００３２】
移動体デバイス１０２がＣＤＭＡ２０００ネットワーク１１０からＬＴＥネットワーク１２０に移行すると、ＲＮＣ１１２は、ＰＤＳＮ１１１から移行している移動体デバイス１０２に送信されたデータパケットから収集された脱圧縮情報を用いて、ＲＮＣ１１２でバッファ１１３に格納されるとともに移行中の移動体デバイス１０２へ宛てられた未転送のデータパケットのパケットヘッダを再構築することができる。
【００３３】
図３はＲＮＣで脱圧縮ディクショナリを構築する一例を示す図である。図３を参照すると、ＰＤＳＮ１１１はデータパケットＰ１、Ｐ２及びＰ３をターゲット移動体デバイス１０２に送信する。ＰＤＳＮ１１１はデータパケットＰ１、Ｐ２及びＰ３に基づいて圧縮ディクショナリ３１１を確立する。ターゲット移動体１０２はデータパケットＰ１、Ｐ２及びＰ３に基づいて脱圧縮ディクショナリ３１３を確立する。ＲＮＣ１１２はＰＤＳＮ１１１からターゲット移動体１０２に送信された各パケットを受信する。ＲＮＣ１１２は脱圧縮ディクショナリ３１２を確立し、それは脱圧縮ディクショナリ３１３と同一であってもよい。ここで、ＲＮＣ１１２は、ＰＤＳＮ１１１からターゲット移動体１０２に送信されたデータパケットを脱圧縮する能力を有する。
【００３４】
図２を参照すると、ステップＳ２１０において、移動体デバイス１０２へのバッファリングされたパケットの転送は、移動体デバイス１０２がＬＴＥネットワーク１２０に移行した結果として終了される。ターゲット移動体１０２がｅＮＢ１２２との無線通信を開始すると、ＢＴＳ１１６との無線通信は終了する。ＢＴＳ１１６とターゲット移動体１０２の間の無線チャネルはもはや存在しないので、バッファリングされたパケットはもはやＢＴＳ１１６を介してターゲット移動体１０２に転送され得ない。
【００３５】
ステップＳ２１５において、未送信のバッファリングされたパケットのヘッダがＲＮＣ１１２によって再構築される。ＣＤＭＡ２０００ネットワーク１１０でバッファリングされターゲット移動体デバイス１０２に未だ転送されていないデータパケットがＲＮＣ１１２のバッファ１１３に格納される。これらのデータパケットは圧縮されたヘッダを有し得る。ターゲット移動体デバイス１０２に宛てられるバッファリングされた未転送のデータパケットは、移動体デバイス１０２が脱圧縮を行うのと同様の態様でＲＮＣ１１２によって脱圧縮される。即ち、バッファリングされた未転送のデータパケットは、ステップＳ２０５において、ＲＮＣ１１２に記憶された脱圧縮情報を用いてＲＮＣ１１２で脱圧縮される。
【００３６】
ＣＤＭＡ２０００ネットワーク１１０はパケットヘッダ圧縮を用いるが、ＬＴＥネットワークは圧縮されたデータパケットヘッダを脱圧縮するのに必要な脱圧縮情報を有さないため、データパケットをＬＴＥネットワークに送信する前にデータパケットヘッダを脱圧縮することが必要である。従って、未転送パケットが、圧縮パケットヘッダを脱圧縮せずにＣＤＭＡ２０００ネットワーク１１０からＬＴＥネットワーク１２０に送信される場合、ＬＴＥネットワークは未転送パケットの圧縮ヘッダを解釈することができないことになる。結果として、ＬＴＥネットワーク１２０はパケットを移行中の移動体デバイス１０２に配信することができず、データパケットは失われることになる。
【００３７】
図２を参照すると、ステップＳ２２０において、未送信でかつ再構築されたデータパケットがＲＮＣ１１２からインターフェイス１６０を介してＬＴＥネットワーク１２０のアクセスゲートウェイ１２１に直接送信される。未転送データパケットのパケットヘッダが再構築されるので、再構築されたデータパケットは完全なＩＰパケットとしてＬＴＥネットワーク１２０に直接送信され、ＬＴＥネットワーク１２０がＰＤＮ１０１から受信されたデータパケットを処理するように、ＬＴＥネットワーク１２０はデータパケットを処理することができる。
【００３８】
図２を参照すると、ステップＳ２２５において、ＬＴＥネットワーク１２０はインターフェイス１０３を介して受信されたデータパケットを移動体デバイス１０２に送信する。図１を参照すると、アクセスゲートウェイ１２１はデータパケットを、その後そのデータパケットをターゲット移動体１０２に送信するｅＮＢ１２２に送信する。
【００３９】
ＬＴＥからＣＤＭＡ２０００への移行の取り扱い
ＬＴＥネットワーク１２０からＣＤＭＡ２０００ネットワーク１１０へ移行するターゲット移動体１０３を参照して、第１のネットワークから第２のネットワークへの移動体デバイスの移行を扱うための方法を説明する。
【００４０】
図４は実施例による、ＬＴＥプロトコルに準拠するネットワークからＣＤＭＡ２０００プロトコルに準拠するネットワークへの移動体デバイスの移行を扱う方法を示すフローチャートである。ＬＴＥネットワーク１０３におけるｅＮＢ１２３と通信してきたターゲット移動体デバイス１０３がＣＤＭＡ２０００ネットワーク１１０のＢＴＳ１１６へ移行することについて、本実施例を図１を参照して説明する。しかし、本実施例は移動体１０３又は図１のアーキテクチャへの適用に限定されないことが理解されるはずである。
【００４１】
当業者であれば、ＬＴＥネットワーク１２０からＣＤＭＡ２０００ネットワーク１１０への移動体１０３の移行が、移動体とＣＤＭＡ２０００ネットワーク１１０及びＬＴＥネットワーク１２０の少なくとも１つのネットワーク要素との間のシグナリングを含む任意の周知技術に従って開始され得ることを認識するはずである。
【００４２】
図４を参照すると、ステップＳ５０５において、ＬＴＥネットワーク１２０によって移動体デバイス１０３に未だ送信されていないパケットがＣＤＭＡ２０００ネットワーク１１０に送信される。ＬＴＥネットワーク１２０において記憶されても移行中のターゲット移動体デバイス１０３に未だ転送されていないデータパケットはｅＮＢ１２３のバッファ１２５に格納される。ターゲット移動体デバイス１０３がＬＴＥネットワーク１２０からＣＤＭＡ２０００ネットワーク１１０に移行した後、ｅＮＢ１２３は未転送のデータパケットをアクセスゲートウェイ１２１に送信する。アクセスゲートウェイ１２１は未転送のデータパケットを、ＲＮＣ１１２とアクセスゲートウェイ１２１の間のインターフェイス１６０を介して、ＣＤＭＡ２０００ネットワーク１１０におけるＲＮＣ１１２に直接送信する。
【００４３】
図４を参照すると、ステップＳ５１０において、ＣＤＭＡ２０００ネットワーク１１０でヘッダ圧縮状態がリセットされる。未転送データパケットがＬＴＥネットワーク１２０から到着するとき、ＰＤＳＮ１１１及びターゲット移動体デバイス１０３はそれぞれ圧縮及び脱圧縮ディクショナリを既に確立している場合もある。例えば、移行中のターゲット移動体デバイス１０３が、ＣＤＭＡ２０００ネットワーク１１０に進入すると直ちにＣＤＭＡ２０００ネットワーク１１０からパケットを受信し始めた場合である。ＰＤＳＮ１１１及びターゲット移動体デバイス１０３はこれらのデータパケットに基づいて圧縮及び脱圧縮ディクショナリを既に確立していることができる。さらに、ターゲット移動体デバイス１０３はＣＤＭＡ２０００ネットワーク１１０に以前に接続していた場合もある。従って、ＰＤＳＮ１１１及びターゲット移動体デバイス１０３は、ターゲット移動体デバイス１０３のＣＤＭＡ２０００ネットワーク１１０に対する以前の接続中に圧縮及び脱圧縮ディクショナリを確立していた場合がある。
【００４４】
ＲＮＣ１１２でＬＴＥネットワーク１１０から受信された未転送のデータパケットが移動体デバイス１０３に転送されるとき、移動体デバイス１０３はその脱圧縮ディクショナリを、移動体デバイス１０３が受信する未転送データパケットに基づいて更新する。しかし、ＰＤＳＮ１１１は、ＲＮＣ１１２からターゲット移動体デバイス１０３に送信される未転送データパケットを見ることはない。従って、ＰＤＳＮ１１１における圧縮ディクショナリはターゲット移動体デバイス１０３における脱圧縮ディクショナリとは非同期となり得る。
【００４５】
ＰＤＳＮ１１１における圧縮ディクショナリ及びターゲット移動体１０３における脱圧縮ディクショナリが非同期のままである場合、ＰＤＳＮ１１１からターゲット移動体デバイス１０３にその後送信されるデータパケットは非同期なディクショナリに基づいて圧縮されることになる。ターゲット移動体デバイス１０３は、更新された圧縮ディクショナリを用いてこれらの後続送信データパケットを適切に脱圧縮することができない。ターゲット移動体１０３において実行されるエラーチェック手順は、不適切に脱圧縮されたデータパケットを壊れたデータパケットと解釈してそれらを廃棄することができる。従って、データパケットは失われる。データパケットの喪失を回避するために、実施例によると、移動体デバイス１０３がＣＤＭＡ２０００ネットワーク１１０からＬＴＥネットワーク１２０に移行するとき、ＲＮＣ１１２はポイント−トゥ−ポイントプロトコル（ＰＰＰ）メッセージをＰＤＳＮ１１１に送信し、ＰＤＳＮ１１１にそのヘッダ状態をリセットするよう指示する。
【００４６】
ＰＤＳＮ１１１にヘッダ圧縮状態をリセットするよう指示するＰＰＰメッセージは、ＲＮＣ１１２が未転送パケットをＬＴＥネットワーク１２０から受信した後にＲＮＣ１１２によってＰＤＳＮ１１１に送信されるものとして記述されるが、ＲＮＣ１１２は、未転送パケットを移動体デバイス１０３に送信する前に圧縮状態リセットメッセージをＰＤＳＮ１１１に送信することができる。ＲＮＣ１１２はまた、未転送パケットをターゲット移動体デバイス１０３に送信するのと同時に圧縮状態リセットメッセージをＰＤＳＮ１１１に送信することができる。ＲＮＣ１１２は、ターゲット移動体デバイス１０３がＣＤＭＡ２０００ネットワーク１１０に進入するとすぐに圧縮状態リセットメッセージを送信することができる。ＲＮＣ１１２はまた、ターゲット移動体デバイス１０３がＣＤＭＡ２０００ネットワーク１１０を離れると、ターゲット移動体デバイス１０３がＣＤＭＡ２０００ネットワーク１１０に戻るという予測において、圧縮状態リセットメッセージをＰＤＳＮ１１１に送信することができる。
【００４７】
図４を参照すると、ステップＳ５１５において、未送信パケットがＣＤＭＡ２０００ネットワーク１１０から移動体デバイス１０３に送信される。図１を参照すると、ＲＮＣ１１２は未転送データパケットを、その後未転送データパケットをターゲット移動体デバイス１０３に送信するＢＴＳ１１６に転送する。未転送データパケットは完全な非圧縮ＩＰパケットである。
【００４８】
第１のネットワークから第２のネットワークへの移動体デバイスの移行を扱うための実施例による方法によって、元のネットワークでバッファリングされかつ移行の時点で未だ移動体デバイスに送信されていないデータパケットの喪失を最小限にしつつも、移動体デバイスがＣＤＭＡ２０００ネットワークとＬＴＥネットワークの間を行き来することが可能となる。その移行はまた、ＣＤＭＡ２０００及びＬＴＥネットワーク双方に送信される複製データパケットを要することなく達成される。
【００４９】
こうして本発明が記載されたが、同じものが多数のやり方で変更できることは明らかなはずである。このようなバリエーションは本発明から離れたものとしてみなされず、全てのそのような変形例は本発明の範囲内に含まれることが意図される。
【図１】
2011523295.tif 000003
【図２】
2011523295.tif 000004
【図３】
2011523295.tif 000005
【図４】
2011523295.tif 000006
【国際調査報告】
2011523295.tif 000007
2011523295.tif 000008
2011523295.tif 000009
2011523295.tif 000010
2011523295.tif 000011